(57)【要約】【課題】本発明は、改良されたタッチ式入力装置及び該タッチ式入力装置を有する電子装置を提供することを目的とする。【解決手段】本発明のタッチ式入力装置は、タッチモジュール及びスイッチを備え、前記スイッチは、タッチ操作によって始動信号を生じるために用いられ、前記タッチモジュールは可動側部を備え、前記スイッチは、前記タッチモジュールの可動側部の下方に設置されて、前記タッチモジュールの可動側部の上下移動によって、前記スイッチを始動させる。本発明は、前記タッチ式入力装置を有する電子装置も提供する。【選択図】図３
2012190453.tif 000002
【特許請求の範囲】
【請求項１】
タッチモジュール及びスイッチを備えるタッチ式入力装置であって、
前記スイッチは、タッチ操作によって始動信号を生じるために用いられ、前記タッチモジュールは可動側部を備え、前記スイッチは、前記タッチモジュールの可動側部の下方に設置されて、前記タッチモジュールの可動側部の上下移動によって、前記スイッチを始動させることを特徴とするタッチ式入力装置。
【請求項２】
前記タッチモジュールは、前記可動側部に対向し且つ前記タッチモジュールを固定するために用いられる固定側部をさらに備えることを特徴とする請求項１に記載のタッチ式入力装置。
【請求項３】
前記固定側部は、弾性を有する接続部を備え、前記接続部は、前記タッチモジュールを支持し且つ前記タッチモジュールの可動側部の上下移動に弾性をもたらすことを特徴とする請求項２に記載のタッチ式入力装置。
【請求項４】
前記タッチ式入力装置は、始動部材をさらに備え、前記始動部材は、前記タッチモジュールの下方に設置されて、前記スイッチを始動させるために用いられることを特徴とする請求項１から３のいずれか一項に記載のタッチ式入力装置。
【請求項５】
前記スイッチと前記始動部材との間には隙間が形成され、前記スイッチは、前記始動部材に対して少なくとも１つの始動点を有することを特徴とする請求項４に記載のタッチ式入力装置。
【請求項６】
前記始動部材は、弾性始動部を備え、前記弾性始動部は、前記スイッチに対応して前記スイッチを始動させるために用いられることを特徴とする請求項４または５に記載のタッチ式入力装置。
【請求項７】
前記始動部材は、突出部を備え、前記弾性始動部は、前記突出部の末端に設置されることを特徴とする請求項６に記載のタッチ式入力装置。
【請求項８】
開口を有する本体と、
回動軸によって前記本体の後部に回動可能に枢着される蓋体と、
前記本体の開口に設置される請求項１〜７のいずれの一項に記載のタッチ式入力装置と、
を備えることを特徴とする電子装置。
【発明の詳細な説明】
【技術分野】
【０００１】
本発明は、タッチ式入力装置及び該タッチ式入力装置を有する電子装置に関するものである。
【背景技術】
【０００２】
従来の技術において、ノートパソコンのような電子装置のタッチ式入力装置は、タッチパッドの前側に左右の２つのボタンを設置して選択機能を実現する。
【発明の概要】
【発明が解決しようとする課題】
【０００３】
しかし、左右の２つのボタンはタッチパッドの空間を占用するので、タッチパッドの面積は制限される。
【０００４】
本発明の目的は、前記課題を解決し、改良されたタッチ式入力装置及び該タッチ式入力装置を有する電子装置を提供することである。
【課題を解決するための手段】
【０００５】
本発明に係るタッチ式入力装置は、タッチモジュール及びスイッチを備え、前記スイッチは、タッチ操作によって始動信号を生じるために用いられ、前記タッチモジュールは可動側部を備え、前記スイッチは、前記タッチモジュールの可動側部の下方に設置されて、前記タッチモジュールの可動側部の上下移動によって、前記スイッチを始動させる。
【０００６】
本発明に係る電子装置は、開口を有する本体と、回動軸によって前記本体の後部に回動可能に枢着される蓋体と、前記本体の開口に設置されるタッチ式入力装置と、を備える。
【発明の効果】
【０００７】
本発明のタッチ式入力装置及び該タッチ式入力装置を有する電子装置において、タッチパッドのスイッチはタッチモジュールの可動側部に設置されているので、タッチモジュールの上下移動によって前記スイッチを始動させることができ、スイッチを始動させるボタンを独立して設置することを必要とせず、タッチパッドの設計はさらに自由度が高くなる。
【図面の簡単な説明】
【０００８】
【図１】本発明の実施形態に係る電子装置の斜視図である。
【図２】図１に示す電子装置のタッチ式入力装置の底面図である。
【図３】図２に示すタッチ式入力装置の分解図である。
【図４】図１に示すタッチ式入力装置のＤ―Ｄ線に沿う断面図である。
【発明を実施するための形態】
【０００９】
以下、図面を参照して、本発明の実施形態について説明する。
【００１０】
図１は、本発明の実施形態に係る電子装置２００の斜視図である。前記電子装置２００は、ノートパソコンであることができ、本体１と、回動軸によって前記本体１の後部に回動可能に枢着される蓋体２と、を備える。前記本体１には、キーボード３及びタッチ式入力装置４が設置され、前記蓋体２には、ディスプレイ部が設置される。他の実施形態において、前記電子装置２００は、電子書籍などのような他の電子装置であることができる。
【００１１】
図２及び図３を参照すると、前記タッチ式入力装置４は、フレーム４３、前記フレーム４３内に装着されるタッチモジュール４５及び始動部材４７を備える。前記フレーム４３は、上部ケース４３０及び下部ケース４３２を備える。前記上部ケース４３０には、開口４３０１が設けられ、前記上部ケース４３０の内面における前記開口４３０１の対向する両側には、複数の第一固定柱４３０３及び複数の第二固定柱４３０５がそれぞれに形成される。前記第一固定柱４３０３及び前記第二固定柱４３０５は、前記上部ケース４３０に一体成型されたＢＯＳＳ柱である。前記下部ケース４３２は、前記第一固定柱４３０３によって、前記上部ケース４３０に固定される。
【００１２】
前記タッチモジュール４５は、タッチパッド４５０、支持部材４５２及び補強部材４５４を備える。前記支持部材４５２は、前記タッチパッド４５０の底面に接着される。前記タッチパッド４５０の上面は、前記フレーム４３の開口４３０１から外側に露出されて、ユーザーがタッチするようにする。前記タッチパッド４５０の底面には、回路基板４５０１及びスイッチ４５０３が設置される。前記支持部材４５２は、金属板からなり、本体４５２１及び前記本体４５２１の片側の両端に位置する２つの接続部４５２３を備える。前記接続部４５２３は、前記本体４５２１の片側から垂直に延在してから、前記本体４５２１から離間する方向に向かって前記本体４５２１に平行となるように延在してなる。前記接続部４５２３には、複数の固定孔４５２５が設けられる。前記本体４５２１の他側には、前記タッチパッド４５０のスイッチ４５０３を露出するための切欠口４５２７が設けられる。前記支持部材４５２の本体４５２１における前記タッチパッド４５０の回路基板４５０１に対応する位置には、前記タッチパッド４５０の回路基板４５０１を収容するための開口４５２９が設けられる。複数のねじを前記接続部４５２３の固定孔４５２５に貫通させてから前記上部ケース４３０の複数の第二固定柱４３０５に螺合することにより、前記タッチパッド４５０を前記上部ケース４３０に固定する。この時、前記タッチモジュール４５の前記接続部４５２３が存在する片側は固定側部であり、前記タッチモジュール４５の前記接続部４５２３に対向する片側は可動側部であり、前記タッチモジュール４５のスイッチ４５０３と前記始動部材４７との間に０．１ｍｍ程度の隙間４５０９（図４を参照）を形成させる。前記接続部４５２３は、一定の弾性及び剛性を有するので、前記タッチモジュール４５は、前記接続部４５２３を支点として上下方向で移動することができる。
【００１３】
前記補強部材４５４は、前記支持部材４５２の底面に接着されて、前記タッチモジュール４５の可動側部の強度を増加して、前記支持部材４５２が押圧されて変形しないようにして、前記タッチパッド４５０を保護する。前記補強部材４５４の前記スイッチ４５０３に対応する位置には、前記スイッチ４５０３を露出させる開口４５４１が設けられる。
【００１４】
前記スイッチ４５０３は、前記タッチパッド４５０の底面の片側の長手方向中間部に設置されて、前記支持部材４５２の切欠口４５２７及び前記補強部材４５４の開口４５４１から露出して、タッチ操作によって始動信号を生じるために用いられる。前記スイッチ４５０３は、前記タッチパッド４５０の左側領域に対応する第一始動点４５０５及び前記タッチパッド４５０の右側領域に対応する第二始動点４５０７を有する（図４を参照）。前記スイッチ４５０３は、前記タッチ式入力装置４の選択ボタン（Ｐｉｃｋ  ｂｕｔｔｏｎ）である。
【００１５】
図４を併せて参照すると、前記始動部材４７は、前記フレーム４３の下部ケース４３２に設置されており、突出部４７０及び弾性始動部４７２を備え、前記突出部４７０は、前記支持部材４５２の切欠口４５２７に対応する。前記弾性始動部４７２は、弾性柔軟材料からなり、前記突出部４７０の末端に収容されており、且つ前記スイッチ４５０３に対面して、前記スイッチ４５０３を始動させるために用いられる。前記弾性始動部４７２は、弾性を有するゴムであり、前記スイッチ４５０３が前記始動部材４７に接触する場合、前記弾性始動部４７２は、前記タッチモジュール４５の移動を減少し、且つ接触時の騒音を低減して、使用者の手触りを向上させる。
【００１６】
前記接続部４５２３は弾性を有するので、前記タッチパッド４５０の左下角又は右下角が外部圧力を受けると、前記スイッチ４５０３の第一始動点４５０５又は第二始動点４５０７は、前記弾性始動部４７２に接触して、前記弾性始動部４７２は、前記第一始動点４５０５又は前記第二始動点４５０７に反作用力をもたらして、前記回路基板４５０１内のタッチ回路が始動され且つタッチ信号を受信する。前記タッチパッド４５０を押圧する圧力が取り除かれると、前記接続部４５２３は自然状態に弾性復帰し、前記タッチパッド４５０も元の位置に戻り、前記スイッチ４５０３の第一始動点４５０５又は第二始動点４５０７も前記弾性始動部４７２に接触しなくなり、この時タッチ操作を完了する。
【００１７】
他の実施形態において、前記タッチパッド４５０の左右両側に２つの前記スイッチ４５０３を設置することができ、前記始動部材４７も前記スイッチ４５０３を始動できる他の始動部材であることができる。又、前記タッチモジュール４５の下方に複数の前記スイッチ４５０３を互いに離間して設置することができ、且つ複数の前記スイッチ４５０３に対応する位置に複数の弾性始動部４７２を設置する。
【００１８】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００１９】
１  本体
２  蓋体
３  キーボード
４  タッチ式入力装置
４３  フレーム
４５  タッチモジュール
４７  始動部材
２００  電子装置
４３０  上部ケース
４３２  下部ケース
４５０  タッチパッド
４５２  支持部材
４５４  補強部材
４７０  突出部
４７２  弾性始動部
４３０１，４５２９，４５４１  開口
４３０３  第一固定柱
４３０５  第二固定柱
４５０１  回路基板
４５０３  スイッチ
４５０５  第一始動点
４５０７  第二始動点
４５０９  隙間
４５２１  本体
４５２３  接続部
４５２５  固定孔
４５２７  切欠口
【図１】
2012190453.tif 000003
【図２】
2012190453.tif 000004
【図３】
2012190453.tif 000005
【図４】
2012190453.tif 000006